(57)【特許請求の範囲】
【請求項１】
放射線を検出し、該検出した放射線を電荷に変換し、該変換した電荷から放射線画像データを出力する放射線検出器と、
前記放射線検出器の駆動を制御する制御部と、
前記制御部に電力を供給するバッテリーを備え、
待機時において、前記バッテリーは、間欠的に前記制御部に電力を供給する制御をするバッテリー制御部を有し、
前記制御部は、前記バッテリー制御部を通常電力モードと低電力モードに切り替える設定が可能であり、
前記通常電力モードでは、前記バッテリーが常に前記制御部に電力を供給するモードであり、
前記低電力モードは、待機時において前記バッテリーが間欠的に前記制御部に電力を供給するモードであり、
前記制御部が前記バッテリー制御部を前記低電力モードに設定すると、前記バッテリーは、第１の時間では前記制御部への電力供給を行い、第２の時間では前記制御部への電力供給を停止し、
前記第１の時間と前記第２の時間は交互に繰り返される放射線検出装置。
【請求項２】
請求項１に記載の放射線検出装置であって、
外部との通信を行い、前記放射線検出器により出力された前記放射線画像データを送信する通信部を更に備え、
前記通信部が、外部から前記低電力モードから前記通常電力モードへの切り替えを行う切替信号を受信したときに、前記制御部は前記バッテリー制御部を前記低電力モードから前記通常電力モードに設定する放射線検出装置。
【請求項３】
請求項２に記載の放射線検出装置であって、
前記低電力モードにおける前記第１の時間は前記制御部により設定可能である放射線検出装置。
【請求項４】
請求項２又は３に記載の放射線検出装置であって、
前記低電力モードにおける前記第２の時間は前記制御部により設定可能である放射線検出装置。
【請求項５】
請求項３又は４に記載の放射線検出装置であって、
前記切替信号の受信記録を記憶する記憶部を更に備え、
前記制御部は、この記憶された受信記録に基づいて、前記バッテリー制御部の前記第１の時間又は前記第２の時間の設定を変更する放射線検出装置。
【請求項６】
請求項５記載の放射線検出装置であって、
前記制御部は、前記受信記録に基づいて該放射線検出装置の使用頻度を計算し、使用頻度が高くなるほどに前記第１の時間を長くし又は前記第２の時間を短くし、また使用頻度が低くなるほどに前記第１の時間を短くし又は前記第２の時間を長くする放射線検出装置。
【請求項７】
請求項２から６のいずれか一項に記載の放射線検出装置であって、
前記低電力モードにおいて、前記第２の時間から前記第１の時間になったときには、前記通信部は、前記切替信号が受信可能であることを示す通信可能信号を外部に発信する放射線検出装置。
【請求項８】
請求項７に記載の放射線検出装置であって、
前記第２の時間が所定の時間よりも短いときには、前記制御部は、前記通信部に対して前記通信可能信号を外部に発信しないように制御する放射線検出装置。
【請求項９】
請求項１から８のいずれか一項に記載の放射線検出装置であって、
前記放射線検出器から出力される放射線画像データを記憶する画像メモリをさらに備える放射線検出装置。
【請求項１０】
請求項３から８のいずれか一項に記載の前記放射線検出装置と、
前記放射線検出装置と通信を行うコンソールを備え、
前記コンソールは、前記切替信号を前記通信部に送信し、
前記通信部が前記切替信号を受信したときに、前記制御部は前記バッテリー制御部を前記通常電力モードに設定する放射線撮影システム。
【請求項１１】
請求項１０に記載の放射線撮影システムであって、
前記低電力モードにおいて、前記コンソールは、前記切替信号が前記通信部に受信されるまで、繰り返し前記切替信号を送信する放射線撮影システム。
【発明の詳細な説明】
【技術分野】
【０００１】
本発明は、放射線検出装置及び放射線撮影システムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を筐体に収容し、照射された放射線により表わされる放射線画像を撮影する可搬型の放射線検出装置（以下、「電子カセッテ」ともいう。）が実用化されている。
【０００３】
この電子カセッテは、可搬性を有するため、ストレッチャーやベッドに載せたまま患者（被検者）を撮影することもでき、電子カセッテの位置を変更することにより撮影箇所を調整することができるため、動けない患者に対しても柔軟に対処することができる。
【０００４】
また、この電子カセッテは、無線通信部を設け、無線（無線通信のこと）を介してコンソール等の外部機器と通信するように構成されている。更に、この電子カセッテは、充電可能なバッテリーを有しており、常に電源に接続されていなくても、放射線画像を撮影できるように構成されている。これらにより、電子カセッテの可搬性が向上している。
【先行技術文献】
【特許文献】
【０００５】
【特許文献１】特開２００８−１４２０９４
【発明の概要】
【発明が解決しようとする課題】
【０００６】
電子カセッテをバッテリーに充電されている電力を使って駆動制御すると、当然ながらこのバッテリーの充電切れの問題が生じる。電子カセッテを使用していない時に、バッテリーの充電が切れてしまった場合には、バッテリーを充電すればよい。しかし、患者の放射線画像を撮影している最中にバッテリーの充電が切れてしまった場合、再度患者に対して放射線の曝射が必要となってしまう。バッテリーの充電切れを防ぐために、バッテリーの充電を頻繁に行えばよいものの、医療現場において電子カセッテのバッテリーを充電するのは、１日につき１回程度であるという現状もある。
【０００７】
上述の特許文献１では、電子カセッテのバッテリーを長持ちさせるため、電子カセッテの消費電力を節約するモードとして、スリープモードを開示している。このスリープモードでは、コンソールから指示によって復帰できるような必要な機能のみ残して、電子カセッテの無線通信部の送信機能全体やメモリへの電力供給を停止することを開示している。
【０００８】
しかし、上記の特許文献１のスリープモードであっても、依然として電子カセッテの一部の機能への電力供給が行われている。特に、電子カセッテ全体の動作を制御を行う制御部に対しては、電力が供給され続けている。
【０００９】
物理的に電子カセッテに設けられたスイッチをオフにすることによって、電子カセッテの電源を切り、バッテリーを長持ちさせることもできる。しかし、頻繁に電子カセッテによって放射線画像を撮影する場合、その都度電子カセッテの電源を切るのは非効率である。
【００１０】
本発明は、上述した事情に鑑みてなされたものであり、待機時において間欠的に電力を供給することによって、待機状態からの復帰の容易性を確保しながら放射線画像検出装置を長持ちさせることを目的とする。
【課題を解決するための手段】
【００１１】
放射線を検出し、該検出した放射線を電荷に変換し、該変換した電荷から放射線画像データを出力する放射線検出器と、前記放射線検出器の駆動を制御する制御部と、前記制御部に電力を供給するバッテリーを備え、待機時において、前記バッテリーは、間欠的に前記制御部に電力を供給する制御をするバッテリー制御部を有し、前記制御部は、前記バッテリー制御部を通常電力モードと低電力モードに切り替える設定が可能であり、前記通常電力モードでは、前記バッテリーが常に前記制御部に電力を供給するモードであり、前記低電力モードは、待機時において前記バッテリーが間欠的に前記制御部に電力を供給するモードであり、前記制御部が前記バッテリー制御部を前記低電力モードに設定すると、前記バッテリーは、第１の時間では前記制御部への電力供給を行い、第２の時間では前記制御部への電力供給を停止し、前記第１の時間と前記第２の時間は交互に繰り返される放射線検出装置。
【発明の効果】
【００１２】
本発明によれば、待機時において間欠的に電力を供給することによって、待機状態からの復帰の容易性を確保しながら放射線画像検出装置を長持ちさせることができる。
【図面の簡単な説明】
【００１３】
【図１】本発明の実施形態を説明するための放射線撮影システムが設置された放射線撮影室を示す模式図である。
【図２】本発明の実施形態を説明するための放射線画像検出装置の一例を示す模式図である。
【図３】本発明の実施形態を説明するための放射線撮影システムの一例を示すブロック図である。
【図４】図２の放射線画像検出装置において、バッテリーが間欠的に電力を供給する様子を示す図である。
【発明を実施するための形態】
【００１４】
図１は、本発明の実施形態を説明するための放射線撮影システムが設置された放射線撮影室を示す模式図である。
【００１５】
放射線撮影室４４には、立位での放射線撮影を行う際に電子カセッテ３２を保持するためのラック４５と、臥位での放射線撮影を行う際に患者が横臥するためのベッド４６が設置されている。ラック４５の前方空間は立位での放射線撮影を行う際の患者の撮影位置４８であり、ベッド４６の上方空間は臥位での放射線撮影を行う際の患者の撮影位置５０である。
【００１６】
放射線撮影室４４には、単一の放射線源１３０からの放射線によって立位での放射線撮影も臥位での放射線撮影も可能とするために、放射線源１３０を、水平な軸回り（図１の矢印Ａ方向）に回動可能で、鉛直方向（図１の矢印Ｂ方向）に移動可能で、かつ水平方向（図１の矢印Ｃ方向）に移動可能に支持する支持移動機構５２が設けられている。支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略）。
【００１７】
電子カセッテ３２は、撮影姿勢が立位であればラック４５に保持される位置４９へ移動・位置決めされ、撮影姿勢が臥位であればベッド４６上の位置５１へ移動・位置決めされる。
【００１８】
また、電子カセッテ３２は後述するように充電可能なように構成されている。電子カセッテ３２を使用しない時には、クレードル（図示省略）で充電がされるが、頻繁に使用する時には、充電されることなく、位置４９又は位置５１に置かれたままになる。
【００１９】
なお、電子カセッテ３２は、放射線撮影室４４で使用される場合に限られるものではなく、例えば、検診や病院内での回診にも適用することができる。
【００２０】
図２は、本発明の実施形態を説明するための放射線画像検出装置の一例を示す模式図である。
【００２１】
放射線画像検出装置の一例である電子カセッテ３２は、放射線を透過させる材料からなる筐体５６と、筐体５６の放射線が照射される側から、患者による放射線の散乱線を除去するグリッド５８と、患者を透過した放射線を電荷に変換する放射線検出器６０と、放射線のバック散乱線を吸収する鉛板６２を備える。なお、筐体５６の照射面をグリッド５８としてもよい。
【００２２】
また、電子カセッテ３２は、筐体５６の内部において、電子カセッテ３２の電源である充電可能なバッテリー９６と、バッテリー９６から供給される電力によって電子カセッテ３２全体の動作を制御するカセッテ制御部９２と、電子カセッテ３２おいて変換された患者の放射線画像データをコンソール４２に送信する無線通信部９４を備える。
【００２３】
図３は、本発明の実施形態を説明するための放射線撮影システムの一例を示すブロック図である。
【００２４】
放射線撮影システム３０は、Ｘ線を患者に向けて照射する放射線発生装置３４と、放射線発生装置３４から照射されたＸ線を検出し、検出したＸ線を電荷に変換し、変換した電荷から放射線画像データを出力する電子カセッテ３２と、放射線発生装置３４と電子カセッテ３２と通信を行い、放射線撮影システム３０の全体を制御するコンソール４２とを、備える。ここで、放射線発生装置３４には、通信を行うための接続端子３４Ａが設けられている。コンソール４２には、放射線発生装置３４と通信を行うための接続端子４２Ａが設けられている。放射線発生装置３４は通信ケーブル３５を介してコンソール４２に接続されており、通信ケーブル３５を介して有線通信を行い、各種情報の送受信を行う。一方、電子カセッテ３２とコンソール４２は無線通信部１１８と無線通信部９４を介して無線通信を行い、各種情報の送受信を行う。
【００２５】
電子カセッテ３２に内蔵された放射線検出器６０は、ＴＦＴアクティブマトリクス基板６６上に、Ｘ線を吸収し、電荷に変換する光電変換層が積層されて構成されている。光電変換層は例えばセレンを主成分（例えば含有率５０％以上）とする非晶質のａ−Ｓｅ（アモルファスセレン）から成り、Ｘ線が照射されると、照射された放射線量に応じた電荷量の電荷（電子−正孔の対）を内部で発生することで、照射されたＸ線を電荷へ変換する。なお、放射線検出器６０は、アモルファスセレンのようなＸ線を直接的に電荷に変換する代わりに、テルビウム賦活酸化ガドリニウム（Ｇｄ２Ｏ２Ｓ：Ｔｂ）やタリウム賦活ヨウ化セシウム（ＣｓＩ：Ｔｌ）等からなるシンチレータ（図示せず）と光電変換素子（フォトダイオード）を用いてＸ線を間接的に電荷に変換してもよい。この場合、シンチレータによってＸ線を一旦可視光に変換し、光電変換素子のフォトダイオードによって可視光を電荷に変換する。
【００２６】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図３では個々の画素部７４に対応する光電変換層を光電変換部７２として模式的に示している）がマトリクス状に多数個配置されており、電子カセッテ３２へのＸ線の照射に伴って光電変換層で発生された電荷は、個々の画素部７４の蓄積容量６８に蓄積される。これにより、電子カセッテ３２に照射されたＸ線に担持されていた画像情報は電荷情報へと変換されて放射線検出器６０に保持される。
【００２７】
また、個々の画素部７４において、ＴＦＴ７０のソースは、データ配線７８に接続されており、データ配線７８は、信号処理部８２に接続されている。ＴＦＴ７０のドレインは蓄積要領６８及び光電変換部７２に接続されている。そして、ＴＦＴ７０のゲートはゲート配線７６に接続されている。このゲート配線７６は、ゲート線ドライバ８０に接続されている。
【００２８】
なお、放射線画像検出器の一例としてＴＦＴパネルをベースとしたＦＰＤを用いているが、これに限られず、ＣＣＤセンサやＣＭＯＳセンサ等の固体撮像素子をベースとした各種の放射線画像検出器を用いることも可能である。
【００２９】
信号処理部８２は、後述するカセッテ制御部９２からの制御によって動作し、各画素部７４の蓄積容量６８に蓄積された電荷量を行単位で検出してデジタルの画像情報を出力する。
【００３０】
信号処理部８２には画像メモリ９０が接続されている。信号処理部８２から出力された画像情報や誤差情報は画像メモリ９０に順に記憶される。画像メモリ９０は放射線画像を示す画像情報（放射線画像データ）を所定枚数分記憶可能な記憶容量を有しており、１ラインずつ電荷の読み出しが行われる毎に、読み出された１ライン分の画像情報が画像メモリ９０に順次記憶される。
【００３１】
画像メモリ９０は、電子カセッテ３２全体の動作を制御するカセッテ制御部９２と接続されている。カセッテ制御部９２はマイクロコンピュータによって実現されており、ＣＰＵ９２Ａ、ＲＯＭ及びＲＡＭを含むメモリ９２Ｂ、ＨＤＤやフラッシュメモリ等から成る不揮発性の記憶部９２Ｃを備えている。
【００３２】
このカセッテ制御部９２には無線通信部９４が接続されている。無線通信部９４は、ＩＥＥＥ（Institute of Electrical and Electronics Engineers）８０２．１１ａ／ｂ／ｇ／ｎ等に代表される無線ＬＡＮ（Local Area Network）規格に対応しており、無線通信により、外部機器との間で通信を行う。カセッテ制御部９２は、無線通信部９４を介してコンソール４２と無線通信が可能とされており、コンソール４２との間で各種情報の送受信が可能とされている。
【００３３】
また、このカセッテ制御部９２にはバッテリー９６が接続されている。上述した各種回路や各素子(ゲート線ドライバ８０、信号処理部８２、画像メモリ９０、無線通信部９４やカセッテ制御部９２として機能するマイクロコンピュータ)は、バッテリー９６から供給された電力によって作動する。更に、バッテリー９６は、充電可能な二次電池９６Ａと、二次電池９６Ａによる電力供給を後述する動作モードに応じて制御するバッテリー制御部９６Ｂを備えている。なお、図３では、電源部９６と各種回路や各素子を接続する配線を省略している。
【００３４】
更に、バッテリー制御部９６Ｂは、バッテリ−９６が後述する通常電力モードと低電力モードのいずれの動作モードであるかを示すモードレジスタと、低電力モードにおける供給時間Ｍと停止時間Ｎを示す電力制御レジスタを有している。
【００３５】
コンソール４２は、サーバ・コンピュータとして構成されている。コンソール４２は、操作メニューや撮影された放射線画像データ等を表示するディスプレイ１００と、複数のキーを含んで構成され、各種の情報や操作指示が入力される操作パネル１０２と、を備えている。
【００３６】
また、コンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及び通信ケーブル３５を介して放射線発生装置３４との間で曝射条件や姿勢情報、放射線発生装置３４の状態情報等の各種情報の送受信を行う通信インタフェース（Ｉ／Ｆ）部１１６と、電子カセッテ３２との間で無線通信により曝射条件や放射線画像データ等の各種情報の送受信を行う無線通信部１１８と、を備えている。
【００３７】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、及び無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した放射線発生装置３４との各種情報の送受信の制御、及び無線通信部１１８を介した電子カセッテ３２との各種情報の送受信の制御、を行うことができる。また、ＣＰＵ１０４は、操作入力検出部１１４を介して操作パネル１０２に対するユーザの操作状態を把握することができる。
【００３８】
放射線発生装置３４は、放射線Ｘを出力する放射線源１３０と、コンソール４２との間で曝射条件情報や姿勢情報、放射線発生装置３４の状態情報等の各種情報を送受信する通信Ｉ／Ｆ部１３２と、受信した曝射条件情報に基づいて放射線源１３０を制御する線源制御部１３４と、支持移動機構５２に備えられた各駆動源への電力供給を制御することにより支持移動機構５２の動作を制御する線源駆動制御部１３６と、を備えている。
【００３９】
線源制御部１３４もマイクロコンピュータによって実現されており、受信した曝射条件情報や姿勢情報を記憶する。このコンソール４２から受信する曝射条件情報には管電圧、管電流、照射時間等の情報が含まれており、姿勢情報には撮影姿勢が立位か臥位かを表す情報が含まれている。線源制御部１３４は、受信した姿勢情報で指定された撮影姿勢が立位であれば、線源駆動制御部１３６を介して放射線源１３０が立位撮影用の位置５３Ａ（図２参照、射出した放射線が撮影位置４８に位置している患者に側方から照射される位置）に位置するように支持移動機構５２を制御し、受信した姿勢情報で指定された撮影姿勢が臥位であれば、線源駆動制御部１３６を介して放射線源１３０が臥位撮影用の位置５３Ｂ（図２参照、射出した放射線が撮影位置５０に位置している患者に上方から照射される位置）に位置するように支持移動機構５２を制御し、受信した曝射条件情報に基づいて放射線源１３０からＸ線を照射させる。
【００４０】
次に、電子カセッテ３２のバッテリー９６の２つの動作モードについて、説明する。
【００４１】
バッテリー９６は、患者の放射線画像の撮影が行われる時に設定される通常電力モードと、患者の放射線画像の撮影が行われない、電子カセッテ３２の待機時に設定される低電力モードとを有する。
【００４２】
通常電力モードでは、バッテリー制御部９６Ｂの制御に基づいて、少なくともカセッテ制御部９２に対して常に電力を供給する。低電力モードでは、バッテリー制御部９６Ｂの制御に基づいて、カセッテ制御部９２を含めた電子カセッテ３２全体に対する二次電池９６Ａからの電力供給を間欠的に行う（図４参照）。
【００４３】
通常、バッテリー９６は、低電力モードに設定されている。これはバッテリーを長持ちさせるためである。低電力モードから通常電力モードへは、コンソール４２から送信される切替信号を電子カセッテ３２が無線通信部９４を介して受信することによって切り替わる。一方、通常電力モードから低電力モードへは、患者の放射線画像の撮影が終了し、画像メモリ９０に記憶された放射線画像データを無線通信部９４がコンソール４２に送信した後、一定の時間が経過した場合に、自動的に切り替わる。
【００４４】
なお、低電力モードにおいて、バッテリー９６からの電力供給は、復帰に必要な最低限の機能のみを残しておくことが好ましい。たとえば、二次電池９６Ａからの電力供給が、カセッテ制御部９２及び無線通信部９４のみになるようにカセッテ制御部９２が制御する。
【００４５】
図４は、図２の放射線画像検出装置において、バッテリーが電力を供給する様子を示す図である。
【００４６】
図４（ａ）は、低電力モードにおいて、バッテリー制御部９６Ｂの制御に基づいて、カセッテ制御部９２を含めた電子カセッテ３２全体に対する二次電池９６Ａからの電力供給を間欠的に行う様子を示した図である。
【００４７】
まず、バッテリー制御部９６Ｂのモードレジスタが低電力モードを示している場合、バッテリー制御部９６Ｂは、二次電池９６Ａから少なくともカセッテ制御部９２と無線通信部９４への電力供給を供給時間Ｍ（第１の時間）の間行う制御と、二次電池９６Ａからカセッテ制御部９２を含めた電子カセッテ３２全体への電力供給を停止時間Ｎ（第２の時間）の間停止する制御を繰り返す。すなわち、低電力モードでは、バッテリー９６からカセッテ制御部９２への電力供給が間欠的に行われる。ここで、供給時間Ｍ及び停止時間Ｎとしては、例えば、それぞれ６０秒が設定されている。
【００４８】
なお、バッテリー制御部９６Ｂのモードレジスタが通常通常電力モードを示している場合、バッテリー制御部９６Ｂによる制御に基づいて、二次電池９６Ａからカセッテ制御部９２への電力供給が常に行われる。
【００４９】
また、バッテリー制御部９６Ｂの電力制御レジスタの供給時間Ｍと停止時間Ｎはカセッテ制御部９２により書き換え可能になっている。更に、コンソール４２からの無線通信を通じて書き換え可能となっている。
【００５０】
図４（ｂ）は、バッテリー９６が低電力モードから通常電力モードに切り替わる一例を示した図である。
【００５１】
低電力モードにおいて、バッテリー９６が停止時間Ｎの間は、電子カセッテ３２全体への電力供給が停止するため、無線通信部９４への電力供給も停止している。従って、停止時間Ｎの間に、低電力モードから通常電力モードへの切替を行うための切替信号をコンソール４２が送信しても、無線通信部９４がこの切替信号を受信することができない。
【００５２】
このため、図４（ｂ）に示すように、切替信号が無線通信部９４に受信されるまで、コンソール４２はこの切替信号４２を送信し続ける。そして、バッテリー９６が停止時間Ｎから供給時間Ｍに移ると、バッテリー９６からカセッテ制御部９２への電力供給が復帰し、無線通信部９４の機能も復帰する。これにより、コンソール４２からの切替信号が無線通信部９４を介して受信される。カセッテ制御部９２は、この受信した切替信号に基づき、バッテリー制御部９６Ｂのモードレジスタを低電力モードから通常電力モードに書き換える。以後、通常電力モードに切り替えられたバッテリー制御部９６Ｂは、二次電池９６Ａからカセッテ制御部９２への電力供給が常に行われるように制御する。
【００５３】
図４（ｃ）は、バッテリー９６が低電力モードに切り替わる他の例を示した図である。
【００５４】
低電力モードにおいて、バッテリー９６が停止時間Ｎから供給時間Ｍに遷移した場合、復帰したカセッテ制御部９２は無線通信部９４を通じて、外部に電子カセッテ３２が通信可能であることを示す通信可能信号を外部に発信するように制御する。この通信可能信号を受信したコンソール４２は、所定時間内に操作パネル１０２から患者の放射線画像の撮影指示を受けると切替信号を電子カセッテ３２に送信する。これにより、コンソール４２からの切替信号が無線通信部９４を介して受信される。以下、上述の場合と同様に、カセッテ制御部９２は、この受信した切替信号に基づき、バッテリー制御部９６Ｂのモードレジスタを低電力モードから通常電力モードに書き換える。以後、通常電力モードに切り替えられたバッテリー制御部９６Ｂは、二次電池９６Ａからカセッテ制御部９２への電力供給が常に行われるように制御する。
【００５５】
なお、図４（ｃ）の場合において、電力制御レジスタの停止時間Ｎが所定時間よりも短い場合には、カセッテ制御部９２は、通信可能信号を外部に発信しないように制御してもよい。このようにすれば、頻繁に通信可能信号を送信するのを防ぎ、かえってバッテリー９６の電力を消費してしまうのを防ぐことができる。
【００５６】
カセッテ制御部９２が、通信可能信号を外部に発信しないように制御している時には、図４（ｂ）に示すように、切替信号が無線通信部９４に受信されるまで、コンソール４２はこの切替信号４２を送信し続けるようにしてもよい。この場合、コンソール４２の制御の切替がスムーズに移行するように、カセッテ制御部９２が通信可能信号を外部に発信しなくなる上述の所定時間をコンソール４２が予め把握しているとよい。
【００５７】
以上、本放射線撮影システム１０によれば、低電力モードにおいて、バッテリー９６から電子カセッテ３２全体への電力供給が間欠的に行われるため、低電力モードからの復帰の容易性を確保しながらバッテリー９６の長寿命化を図ることができる。また、低電力モードから通常電力モードへの復帰において、一定周期で電子カセッテ３２が通信可能な状態になっているため、電子カセッテ３２に設けられたスイッチをオンにするなどの操作をすることなく容易に電子カセッテ３２を復帰することができる。また、図４（ｂ）や図４（ｃ）のような復帰処理を行うことで、スムーズに通常電力モードへ復帰することができる。また、電力制御レジスタの供給時間Ｍと停止時間Ｎを設定可能にすることによって、電子カセッテ３２の使用頻度の応じた、最適な電力供給を行うことができる。
【００５８】
なお、電子カセッテ３２のカセッテ制御部９２は、コンソール４２からの切替信号の受信頻度をログとして記憶部９２Ｃに記憶してもよい。記憶部９２Ｃにログとして記憶される項目としては、少なくとも切替信号の日時を記憶しておけばよい。定期的に、カセッテ制御部９２が、このログを集計して、電子カセッテ３２の使用頻度を計算する。そして、計算された使用頻度に基づいて、電源制御レジスタの供給時間Ｍと停止時間Ｎを設定しなおす。たとえば、電子カセッテ３２の使用頻度が低いのであれば、供給時間Ｍを短くしたり、停止時間Ｎを長くしたりする。逆に、電子カセッテ３２の使用頻度が高いのであれば、供給時間Ｍを長くしたり、停止時間Ｎを短くしたりする。
【００５９】
このように電子カセッテ３２にログ機能を持たせることによって、より使用頻度に合わせて、低電力モードにおけるバッテリー９６からの電力供給を最適化することができる。
【００６０】
なお、ログの記憶とログの集計・計算機能は、コンソール４２が有していてもよい。
【００６１】
以上、説明したように、本明細書には、下記に記載する放射線撮影装置及び放射線撮影システムが開示されている。
【００６２】
（１）放射線を検出し、該検出した放射線を電荷に変換し、該変換した電荷から放射線画像データを出力する放射線検出器と、前記放射線検出器の駆動を制御する制御部と、前記制御部に電力を供給するバッテリーを備え、前記バッテリーは、その待機時において間欠的に前記制御部に電力を供給する制御をするバッテリー制御部を有する放射線検出装置。
（２）（１）に記載の放射線検出装置であって、前記制御部は、前記バッテリー制御部を通常電力モードと低電力モードに切り替える設定が可能であり、前記通常電力モードでは、前記バッテリーが常に前記制御部に電力を供給するモードであり、前記低電力モードは、前記バッテリーがその待機時において間欠的に前記制御部に電力を供給するモードであり、前記制御部が前記バッテリー制御部を前記低電力モードに設定すると、前記バッテリーは、第１の時間では前記制御部への電力供給を行い、第２の時間では前記制御部への電力供給の停止し、前記第１の時間と前記第２の時間は交互に繰り返される放射線検出装置。
（３）（２）に記載の放射線検出装置であって、外部との通信を行い、前記放射線検出器により出力された前記放射線画像データを送信する通信部を更に備え、前記通信部が、外部から前記低電力モードから前記通常電力モードへの切り替えを行う切替信号を受信したときに、前記制御部は前記バッテリー制御部を前記低電力モードから前記通常電力モードに設定する放射線検出装置。
（４）（３）に記載の放射線検出装置であって、前記切替信号の受信記録を記憶する記憶部を更に備え、前記制御部は、この記憶された受信記録に基づいて、前記バッテリー制御部の前記第１の時間又は前記第２の時間の設定を変更する放射線検出装置。
（５）（３）又は（４）に記載の放射線検出装置であって、前記低電力モードにおいて、前記第２の時間から前記第１の時間になったときには、前記通信部は、前記切替信号が受信可能であることを示す通信可能信号を外部に発信する放射線検出装置。
（６）（５）に記載の放射線検出装置であって、前記第２の時間が所定の時間よりも短いときには、前記制御部は、前記通信部に対して前記通信可能信号を外部に発信しないように制御する放射線検出装置。
（７）（２）から（６）のいずれか１つに記載の放射線検出装置であって、前記低電力モードにおける前記第１の時間は前記制御部により設定可能である放射線検出装置。
（８）（２）から（７）のいずれか１つに記載の放射線検出装置であって、前記低電力モードにおける前記第２の時間は前記制御部により設定可能である放射線検出装置。
（９）（３）から（８）のいずれか１つに記載の前記放射線検出装置と、前記放射線検出装置と通信を行うコンソールを備え、前記コンソールは、前記切替信号を前記通信部に送信し、前記通信部が前記切替信号を受信したときに、前記制御部は前記バッテリー制御部を前記通常電力モードに設定する放射線撮影システム。
（１０）（９）に記載の放射線撮影システムであって、前記低電力モードにおいて、前記コンソールは、前記切替信号が前記通信部に受信されるまで、繰り返し前記切替信号を送信する放射線撮影システム。
【符号の説明】
【００６３】
３２  電子カセッテ
３４  放射線発生装置
４２  コンソール
６０  放射線検出器
９２  カセッテ制御部
９４  無線通信部
９６  バッテリー
９６Ａ  二次電池
９６Ｂ  バッテリー制御部
【図１】
0005645650.tif 000002
【図２】
0005645650.tif 000003
【図３】
0005645650.tif 000004
【図４】
0005645650.tif 000005